(57)【要約】【課題】ユーザにとって、より信用できる情報を掲載した広告を、ユーザに配信することが可能な印刷システム、印刷装置、サーバ、印刷制御方法、および印刷制御プログラムを提供する。【解決手段】ユーザＩＤとパスワードとを受信し（Ｓ１０１）、受信したユーザＩＤから、ユーザに関する情報のデータであるユーザ情報データを抽出する（Ｓ１０２）。抽出したユーザ情報データと、広告が対象とするユーザに関するデータである対象ユーザデータとが一致する広告データを選択する（Ｓ１０３）。選択した広告データに、ユーザが登録した評価の情報のデータである評価データがあれば、広告データと評価データとを組み合わせて、評価広告データを作成し（Ｓ１０６）、プリンタに送信する（Ｓ１０７）。そして、プリンタは、評価広告データに基づく評価広告を印刷する。【選択図】図１５
2011233118.tif 000002
【特許請求の範囲】
【請求項１】
ネットワークに接続されたサーバと、前記ネットワークに接続され、前記サーバから送信されるデータに基づいて印刷を実行する印刷装置とを備えた印刷システムであって、
前記サーバは、
広告のデータである広告データと、前記広告の内容に対する評価の情報のデータである評価データとを対応付けて記憶する第一記憶手段と、
前記第一記憶手段に記憶された前記広告データと前記評価データとを組み合わせ、前記広告と前記評価の情報とを組み合わせた評価広告のデータである評価広告データを作成するデータ作成手段と、
前記データ作成手段によって作成された前記評価広告データを前記印刷装置に送信する評価広告データ送信手段と
を備え、
前記印刷装置は、
前記サーバの前記評価広告データ送信手段によって送信された前記評価広告データを受信する評価広告データ受信手段と、
前記評価広告データ受信手段によって受信された前記評価広告データに基づく前記広告を印刷する印刷手段と
を備えたことを特徴とする印刷システム。
【請求項２】
前記印刷装置は、
前記評価広告データを送信するように要求する信号である送信要求信号を、前記サーバに送信する信号送信手段をさらに備え、
前記サーバの前記データ作成手段は、
前記信号送信手段によって送信された前記送信要求信号を受信した場合に、前記評価広告データを作成し、
前記サーバの前記評価広告データ送信手段は、前記データ作成手段によって作成された前記評価広告データを前記印刷装置に送信することを特徴とする請求項１に記載の印刷システム。
【請求項３】
前記サーバは、
前記第一記憶手段に記憶された前記広告データのうち、所定の数の前記広告データを選択する選択手段をさらに備え、
前記データ作成手段は、
前記選択手段によって選択された前記広告データに対応付けられた前記評価データと、前記選択手段によって選択された前記広告データとを組み合わせ、前記評価広告データを作成することを特徴とする請求項１または２に記載の印刷システム。
【請求項４】
前記サーバは、
ユーザを識別するためのＩＤであるユーザＩＤと、前記ユーザＩＤ毎に割り当てられた報酬のデータである報酬データとを対応つけて記憶する第二記憶手段と、
ユーザが前記評価データを入力した場合に、入力したユーザの前記ユーザＩＤに対応付けられた、前記報酬データに、所定の前記報酬を加算する加算手段とをさらに備えたことを特徴とする請求項１から３のいずれかに記載の印刷システム。
【請求項５】
前記サーバの前記加算手段は、
所定の期間内に評価データを入力した回数の多いユーザの前記ユーザＩＤから順番に、所定の数のユーザＩＤを前記第二記憶手段から抽出し、抽出した前記ユーザＩＤに対応付けられた前記報酬データに、前記順番に応じた前記報酬を加算することを特徴とする請求項４に記載の印刷システム。
【請求項６】
前記評価データは、
前記広告の広告主に対する評価の情報と、前記広告に掲載された商品に対する評価の情報とを含むことを特徴とする請求項１から５のいずれかに記載の印刷システム。
【請求項７】
前記データ作成手段は、ユーザが前記評価データを入力する方法を前記印刷装置に印刷させるためのデータを、前記評価広告データにさらに付加することを特徴とする請求項１から６のいずれかに記載の印刷システム。
【請求項８】
ネットワークに接続され、前記ネットワークに接続されたサーバから送信されるデータに基づいて印刷を実行する印刷装置であって、
前記サーバによって送信された、広告と前記広告の内容に対する評価の情報とを組み合わせた評価広告のデータである評価広告データを受信する評価広告データ受信手段と、
前記評価広告データ受信手段によって受信された前記評価広告データに基づく前記広告を印刷する印刷手段と
を備えたことを特徴とする印刷装置。
【請求項９】
ネットワークに接続されたサーバであって、
広告のデータである広告データと、前記広告の内容に対する評価の情報のデータである評価データとを対応付けて記憶する第一記憶手段と、
前記第一記憶手段に記憶された前記広告データと前記評価データとを組み合わせ、前記広告と前記評価の情報とを組み合わせた評価広告のデータである評価広告データを作成するデータ作成手段と、
前記データ作成手段によって作成された前記評価広告データを、前記ネットワークに接続され、前記サーバから送信されるデータに基づいて印刷を実行する印刷装置に送信する評価広告データ送信手段と
を備えたことを特徴とするサーバ。
【請求項１０】
ネットワークに接続され、前記ネットワークに接続されたサーバから送信されるデータに基づいて印刷を実行する印刷装置において実行される印刷制御方法あって、
前記サーバによって送信された、広告と前記広告の内容に対する評価の情報とを組み合わせた評価広告のデータである評価広告データを受信する評価広告データ受信ステップと、
前記評価広告データ受信ステップによって受信された前記評価広告データに基づく前記広告を印刷する印刷ステップと
を備えたことを特徴とする印刷制御方法。
【請求項１１】
ネットワークに接続され、前記ネットワークに接続されたサーバから送信されるデータに基づいて印刷を実行する印刷装置において実行される印刷制御プログラムであって、
前記印刷装置の制御部に、
前記サーバによって送信された、広告と前記広告の内容に対する評価の情報とを組み合わせた評価広告のデータである評価広告データを受信する評価広告データ受信ステップと、
前記評価広告データ受信ステップによって受信された前記評価広告データに基づく前記広告を印刷する印刷ステップと
を実行させることを特徴とする印刷制御プログラム。
【発明の詳細な説明】
【技術分野】
【０００１】
本発明は、ユーザに広告を配信する印刷システム、印刷装置、サーバ、印刷制御方法、および印刷制御プログラムに関する。
【背景技術】
【０００２】
従来、ユーザが所有するプリンタ等の印刷装置に対して広告等の文書を送信し、印刷装置において印刷する印刷システムが知られている。例えば、特許文献１に記載の文書配信システムでは、文書がユーザの介入なしに自動的にサーバから印刷装置に送られる。文書には、広告宣伝を含めることが可能である。サーバは、ユーザ・プロファイルを使用して、ユーザが関心を持つとみられる広告宣伝を選択し、文書に含めることができる。
【先行技術文献】
【特許文献】
【０００３】
【特許文献１】特表２００３−５０１７６８号公報
【発明の概要】
【発明が解決しようとする課題】
【０００４】
しかしながら、このような広告によって伝えられる情報は、広告主側からの一方的な情報である。このため、商品のメリット面を強調した、商品を売るための情報に偏る傾向がある。このことは、ユーザも理解しており、広告の情報をそのまま信用できないと考えるユーザも多いという問題点があった。
【０００５】
本発明の目的は、ユーザにとって、より信用できる情報を掲載した広告を、ユーザに配信することが可能な印刷システム、印刷装置、サーバ、印刷制御方法、および印刷制御プログラムを提供することである。
【課題を解決するための手段】
【０００６】
本発明の第１の態様に係る印刷システムは、ネットワークに接続されたサーバと、前記ネットワークに接続され、前記サーバから送信されるデータに基づいて印刷を実行する印刷装置とを備えた印刷システムであって、前記サーバは、広告のデータである広告データと、前記広告の内容に対する評価の情報のデータである評価データとを対応付けて記憶する第一記憶手段と、前記第一記憶手段に記憶された前記広告データと前記評価データとを組み合わせ、前記広告と前記評価の情報とを組み合わせた評価広告のデータである評価広告データを作成するデータ作成手段と、前記データ作成手段によって作成された前記評価広告データを前記印刷装置に送信する評価広告データ送信手段とを備え、前記印刷装置は、前記サーバの前記評価広告データ送信手段によって送信された前記評価広告データを受信する評価広告データ受信手段と、前記評価広告データ受信手段によって受信された前記評価広告データに基づく前記広告を印刷する印刷手段とを備えている。
【０００７】
この場合、各ユーザが入力した広告の内容に対する評価の情報が掲載された広告が、印刷装置で印刷される。このため、評価広告には、広告主からの一方的な情報だけでなく、他のユーザが客観的に評価した情報が掲載される。つまり、ユーザにとって、より信用できる情報を掲載した広告を、ユーザに配信することができる。
【０００８】
前記印刷システムにおいて、前記印刷装置は、前記評価広告データを送信するように要求する信号である送信要求信号を、前記サーバに送信する信号送信手段をさらに備え、前記サーバの前記データ作成手段は、前記信号送信手段によって送信された前記送信要求信号を受信した場合に、前記評価広告データを作成し、前記サーバの前記評価広告データ送信手段は、前記データ作成手段によって作成された前記評価広告データを前記印刷装置に送信してもよい。この場合において、送信要求信号を受信した場合、データ作成手段が評価広告データを作成する。このため、ユーザは、最新の評価の情報が掲載された広告を受け取ることができる。
【０００９】
前記印刷システムにおいて、前記サーバは、前記第一記憶手段に記憶された前記広告データのうち、所定の数の前記広告データを選択する選択手段をさらに備え、前記データ作成手段は、前記選択手段によって選択された前記広告データに対応付けられた前記評価データと、前記選択手段によって選択された前記広告データとを組み合わせ、前記評価広告データを作成してもよい。この場合、所定の数の広告が選択される。そして、選択された広告が、印刷装置に送信され、印刷装置によって印刷される。このため、印刷の枚数を制限できる。
【００１０】
前記印刷システムにおいて、前記サーバは、ユーザを識別するためのＩＤであるユーザＩＤと、前記ユーザＩＤ毎に割り当てられた報酬のデータである報酬データとを対応つけて記憶する第二記憶手段と、ユーザが前記評価データを入力した場合に、入力したユーザの前記ユーザＩＤに対応付けられた、前記報酬データに、所定の前記報酬を加算する加算手段とをさらに備えてもよい。この場合、ユーザが、評価データを入力することによって、報酬が加算される。このため、ユーザは、報酬を得るために積極的に、評価データを入力する。よって、評価データが充実し、さらに信用できる情報を掲載した広告をユーザに配信することができる。
【００１１】
前記印刷システムにおいて、前記サーバの前記加算手段は、所定の期間内に評価データを入力した回数の多いユーザの前記ユーザＩＤから順番に、所定の数のユーザＩＤを前記第二記憶手段から抽出し、抽出した前記ユーザＩＤに対応付けられた前記報酬データに、前記順番に応じた前記報酬を加算してもよい。この場合、所定の期間内に、評価データを入力した回数の多いユーザに対して、報酬が加算される。このため、ユーザは、報酬を得るためにさらに積極的に評価データを入力する。よって、評価データが充実し、さらに信用できる情報を掲載した広告をユーザに配信することができる。
【００１２】
前記印刷システムにおいて、前記評価データは、前記広告の広告主に対する評価の情報と、前記広告に掲載された商品に対する評価の情報とを含んでもよい。この場合、ユーザは、広告主に対する評価の情報と商品に対する評価の情報とが掲載された広告の配信を受けることができる。
【００１３】
前記印刷システムにおいて、前記データ作成手段は、ユーザが前記評価データを入力する方法を前記印刷装置に印刷させるためのデータを、前記評価広告データにさらに付加してもよい。この場合、印刷装置によって印刷される広告に、ユーザが評価データを入力する方法が掲載される。このため、ユーザは、容易に、評価データを入力する方法を知ることができる。よって、ユーザが評価データを入力する頻度を増やすことができる。よって、評価データが充実し、さらに信用できる情報を掲載した広告をユーザに配信することができる。
【００１４】
本発明の第２の態様に係る印刷装置は、ネットワークに接続され、前記ネットワークに接続されたサーバから送信されるデータに基づいて印刷を実行する印刷装置であって、前記サーバによって送信された、広告と前記広告の内容に対する評価の情報とを組み合わせた評価広告のデータである評価広告データを受信する評価広告データ受信手段と、前記評価広告データ受信手段によって受信された前記評価広告データに基づく前記広告を印刷する印刷手段とを備えている。この場合、評価広告には、広告主からの一方的な情報だけでなく、他のユーザが客観的に評価した情報が掲載される。つまり、ユーザにとって、より信用できる情報を掲載した広告を、ユーザに配信することができる。
【００１５】
本発明の第３の態様に係るサーバは、ネットワークに接続されたサーバであって、広告のデータである広告データと、前記広告の内容に対する評価の情報のデータである評価データとを対応付けて記憶する第一記憶手段と、前記第一記憶手段に記憶された前記広告データと前記評価データとを組み合わせ、前記広告と前記評価の情報とを組み合わせた評価広告のデータである評価広告データを作成するデータ作成手段と、前記データ作成手段によって作成された前記評価広告データを、前記ネットワークに接続され、前記サーバから送信されるデータに基づいて印刷を実行する印刷装置に送信する評価広告データ送信手段とを備えている。この場合、評価広告には、広告主からの一方的な情報だけでなく、他のユーザが客観的に評価した情報が掲載される。つまり、ユーザにとって、より信用できる情報を掲載した広告を、ユーザに配信することができる。
【００１６】
本発明の第４の態様に係る印刷制御方法は、ネットワークに接続され、前記ネットワークに接続されたサーバから送信されるデータに基づいて印刷を実行する印刷装置において実行される印刷制御方法あって、前記サーバによって送信された、広告と前記広告の内容に対する評価の情報とを組み合わせた評価広告のデータである評価広告データを受信する評価広告データ受信ステップと、前記評価広告データ受信ステップによって受信された前記評価広告データに基づく前記広告を印刷する印刷ステップとを備えている。この場合、評価広告には、広告主からの一方的な情報だけでなく、他のユーザが客観的に評価した情報が掲載される。つまり、ユーザにとって、より信用できる情報を掲載した広告を、ユーザに配信することができる。
【００１７】
本発明の第５の態様に係る印刷制御プログラムは、ネットワークに接続され、前記ネットワークに接続されたサーバから送信されるデータに基づいて印刷を実行する印刷装置において実行される印刷制御プログラムであって、前記印刷装置の制御部に、前記サーバによって送信された、広告と前記広告の内容に対する評価の情報とを組み合わせた評価広告のデータである評価広告データを受信する評価広告データ受信ステップと、前記評価広告データ受信ステップによって受信された前記評価広告データに基づく前記広告を印刷する印刷ステップとを実行させる。この場合、評価広告には、広告主からの一方的な情報だけでなく、他のユーザが客観的に評価した情報が掲載される。つまり、ユーザにとって、より信用できる情報を掲載した広告を、ユーザに配信することができる。
【図面の簡単な説明】
【００１８】
【図１】印刷システム１の構成を示すブロック図である。
【図２】サーバ２の電気的構成を示すブロック図である。
【図３】広告主ＰＣ３の電気的構成を示すブロック図である。
【図４】プリンタ４の電気的構成を示すブロック図である。
【図５】携帯端末５の電気的構成を示すブロック図である。
【図６】ユーザデータテーブル７１を示す模式図である。
【図７】広告主データテーブル７２を示す模式図である。
【図８】レイアウトデータテーブル７３を示す模式図である。
【図９】商品データテーブル７４を示す模式図である。
【図１０】広告データテーブル７５を示す模式図である。
【図１１】掲載内容データテーブル７６を示す模式図である。
【図１２】広告１０を示す図である。
【図１３】広告主評価データテーブル７７を示す模式図である。
【図１４】商品評価データテーブル７８を示す模式図である。
【図１５】第一メイン処理を示すフローチャートである。
【図１６】印刷候補データテーブル７９を示す模式図である。
【図１７】印刷候補データテーブル７９を示す模式図である。
【図１８】評価合成処理を示すフローチャートである。
【図１９】評価広告１０７を示す模式図である。
【図２０】第二メイン処理を示すフローチャートである。
【図２１】広告設定処理を示すフローチャートである。
【図２２】評価登録処理を示すフローチャートである。
【図２３】広告主評価データテーブル７７を示す模式図である。
【図２４】商品評価データテーブル７８を示す模式図である。
【図２５】報酬付与処理を示すフローチャートである。
【図２６】ユーザデータテーブル７１を示す模式図である。
【発明を実施するための形態】
【００１９】
以下、本発明に係る印刷システムの一実施の形態について、図面を参照して説明する。なおこれらの図面は、本発明が採用しうる技術的特徴を説明するために用いられるものであり、記載されている装置の構成、各種処理のフローチャートなどは、それのみに限定する趣旨ではなく、単なる説明例である。
【００２０】
図１を参照し、本発明の一実施形態である印刷システム１について説明する。印刷システム１は、ユーザが所有するプリンタで、広告を印刷するシステムである。図１に示すように、印刷システム１は、サーバ２、パーソナルコンピュータ３（以下、「広告主ＰＣ３」という。）、プリンタ４、携帯端末５を含む。印刷システム１では、サーバ２から広告のデータがプリンタ４に送信され、プリンタ４において広告のデータに基づく広告が印刷される。これによって、ユーザに広告を配信することができる。広告主ＰＣ３は、広告の配信をサーバ２の管理者に依頼している広告主が所有している。広告主は、例えば、ユーザに広告を配信した回数に応じて、サーバ２の管理者に料金を支払う。プリンタ４および携帯端末５は、ユーザである山田太郎さんが所有している。サーバ２は、サーバ２の管理者が所有している。なお、印刷システム１は、他の複数のユーザが所有するプリンタ、ＰＣ、携帯端末等や、他の広告主が所有するＰＣも含んでいるが、図示を省略している。
【００２１】
サーバ２と広告主ＰＣ３とプリンタ４と携帯端末５とは、それぞれインターネット６に接続されている。広告主ＰＣ３とプリンタ４と携帯端末５とは、それぞれインターネット６を介してサーバ２に接続して通信を行う。
【００２２】
次に図２を参照して、サーバ２の電気的構成について説明する。図２に示すように、サーバ２は、ＣＰＵ２１とＨＤＤ２２とＲＡＭ２３とを備えている。ＣＰＵ２１は、サーバ２の各種の制御処理を司る。ＣＰＵ２１は、ＨＤＤ２２およびＲＡＭ２３と電気的に接続されている。ＣＰＵ２１はＨＤＤ２２とＲＡＭ２３との記憶領域にアクセスできる。
【００２３】
ＨＤＤ２２は、プログラム記憶領域２２１、ユーザデータテーブル記憶領域２２２、広告主データテーブル記憶領域２２３、レイアウトデータテーブル記憶領域２２４、商品データテーブル記憶領域２２５、広告データテーブル記憶領域２２６、掲載内容データテーブル記憶領域２２７、広告主評価データテーブル記憶領域２２８、および商品評価データテーブル記憶領域２２９を少なくとも備えている。
【００２４】
プログラム記憶領域２２１には、ＣＰＵ２１が各種の処理等を実行するために必要なプログラムデータが記憶される。ユーザデータテーブル記憶領域２２２には、ユーザデータテーブル７１（図６参照、後述）が記憶され、広告主データテーブル記憶領域２２３には、広告主データテーブル７２（図７参照、後述）が記憶される。レイアウトデータテーブル記憶領域２２４には、レイアウトデータテーブル７３（図８参照、後述）が記憶され、商品データテーブル記憶領域２２５には、商品データテーブル７４（図９参照、後述）が記憶される。広告データテーブル記憶領域２２６には広告データテーブル７５（図１０参照）が記憶され、掲載内容データテーブル記憶領域２２７には、掲載内容データテーブル７６（図１１参照、後述）が記憶される。広告主評価データテーブル記憶領域２２８には、広告主評価データテーブル７７（図１３参照、後述）が記憶され、商品評価データテーブル記憶領域２２９には、商品評価データテーブル（図１４参照、後述）が記憶される。
【００２５】
ＲＡＭ２３は、印刷候補データテーブル記憶領域２３１を少なくとも備えている。印刷候補データテーブル記憶領域２３１には、印刷候補データテーブル７９（図１６参照、後述）が記憶される。
【００２６】
サーバ２は、通信インターフェイス（通信Ｉ／Ｆ）２５を備えている。通信Ｉ／Ｆ２５には、ＬＡＮポート２４とＣＰＵ２１とが電気的に接続されている。ＬＡＮポート２４は、インターネット６（図１参照）に接続されている。ＣＰＵ２１は、通信Ｉ／Ｆ２５、ＬＡＮポート２４、およびインターネット６を介して、広告主ＰＣ３、プリンタ４、および携帯端末５と通信を行うことができる。
【００２７】
次に、図３を参照して、広告主ＰＣ３の電気的構成について説明する。図３に示すように、広告主ＰＣ３は、ＣＰＵ３１とＨＤＤ３２とＲＡＭ３３とを備えている。ＣＰＵ３１は、広告主ＰＣ３の各種の制御処理を司る。ＣＰＵ３１は、ＨＤＤ３２とＲＡＭ３３とに電気的に接続され、記憶領域にアクセスできる。
【００２８】
ＨＤＤ３２は、プログラム記憶領域３２１を少なくとも備えている。プログラム記憶領域３２１には、ＣＰＵ３１が各種の処理等を実行するために必要なプログラムデータが記憶される。ＲＡＭ３３には、種々のデータが記憶される。広告主ＰＣ３は、通信インターフェイス（通信Ｉ／Ｆ）３５を備えている。通信Ｉ／Ｆ３５には、ＬＡＮポート３４とＣＰＵ３１とが電気的に接続されている。ＬＡＮポート３４は、インターネット６（図１参照）に接続されている。ＣＰＵ３１は、通信Ｉ／Ｆ３５、ＬＡＮポート３４、およびインターネット６を介して、サーバ２と通信を行うことができる。
【００２９】
広告主ＰＣ３は、ディスプレイ３６と入力部３７とを備えている。ディスプレイ３６と入力部３７とは、ＣＰＵ３１と電気的に接続されている。ＣＰＵ３１は、ディスプレイ３６に所望の画像を表示することができる。ＣＰＵ３１は、入力部３７を介して入力された広告主からの指示を認識することができる。入力部３７は、例えば、マウスやキーボードである。
【００３０】
次に、図４を参照して、プリンタ４の電気的構成について説明する。図４に示すように、プリンタ４は、ＣＰＵ４１とＲＯＭ４２とＲＡＭ４３とフラッシュメモリ４４とを備えている。ＣＰＵ４１は、プリンタ４の各種の制御処理を司る。ＣＰＵ４１は、ＲＯＭ４２とＲＡＭ４３とフラッシュメモリ４４とに電気的に接続され、記憶領域にアクセスできる。
【００３１】
ＲＯＭ４２は、プログラム記憶領域４２１を少なくとも備えている。プログラム記憶領域４２１には、ＣＰＵ４１が各種の処理等を実行するために必要なプログラムデータが記憶される。ＲＡＭ４３とフラッシュメモリ４４には、種々のデータが記憶される。
【００３２】
プリンタ４は、通信インターフェイス（通信Ｉ／Ｆ）４６を備えている。通信Ｉ／Ｆ４６には、ＬＡＮポート４５とＣＰＵ４１とが電気的に接続されている。ＬＡＮポート４５は、インターネット６（図１参照）に接続されている。ＣＰＵ４１は、通信Ｉ／Ｆ４６、ＬＡＮポート４５、およびインターネット６を介して、サーバ２と通信を行うことができる。また、プリンタ４は、印刷部４７を備えている。ＣＰＵ４１は、印刷部４７に電気的に接続されている。ＣＰＵ４１は、印刷部４７を使用して紙への印刷を実行できる。印刷部４７は、例えば、インクジェット方式や、レーザー方式や、熱転写方式等の印刷方式によって印刷を行う。
【００３３】
次に、図５を参照して、携帯端末５の電気的構成について説明する。図５に示すように、携帯端末５は、ＣＰＵ５１とＲＯＭ５２とＲＡＭ５３とフラッシュメモリ５４とを備えている。ＣＰＵ５１は、携帯端末５の各種の制御処理を司る。ＣＰＵ５１は、ＲＯＭ５２とＲＡＭ５３とフラッシュメモリ５４とに電気的に接続され、記憶領域にアクセスできる。
【００３４】
ＲＯＭ５２は、プログラム記憶領域５２１を少なくとも備えている。プログラム記憶領域５２１には、ＣＰＵ５１が各種の処理等を実行するために必要なプログラムデータが記憶される。ＲＡＭ５３とフラッシュメモリ５４には、種々のデータが記憶される。
【００３５】
携帯端末５は、通信インターフェイス（通信Ｉ／Ｆ）５６を備えている。通信Ｉ／Ｆ５６には、アンテナ５５とＣＰＵ５１とが電気的に接続されている。ＣＰＵ５１は、通信Ｉ／Ｆ５６とアンテナ５５とを介してインターネット６と無線通信によって接続される。ＣＰＵ５１は、サーバ２と通信を行うことができる。
【００３６】
携帯端末５は、ディスプレイ５７と入力部５８とカメラ５９とを備えている。ディスプレイ５７と入力部５８とカメラ５９とは、ＣＰＵ５１と電気的に接続されている。ＣＰＵ５１は、ディスプレイ５７に所望の画像を表示することができる。ＣＰＵ５１は、入力部５８を介して入力されたユーザからの指示を認識することができる。ＣＰＵ５１は、カメラ５９を使用して、撮影をしたり、ＱＲコードを読み取ったりすることができる。なお、携帯端末５は、他の機器と通話等を行うためのマイク、スピーカ等のデバイスを備えているが、図示を省略している。
【００３７】
次に、種々のデータテーブルについて説明する。まず、図６を参照して、ユーザデータテーブル７１について説明する。ユーザデータテーブル７１には、印刷システム１によって広告の配信を受けるユーザに関する情報が登録されている。ユーザデータテーブル７１は、サーバ２のユーザデータテーブル記憶領域２２２（図２参照）に記憶されている。図６に示すように、ユーザデータテーブル７１には、ユーザＩＤ、パスワード、氏名、住所、性別、年齢、興味分野、印刷枚数、および報酬が対応付けられている。興味分野は、ユーザが興味を持っている分野である。報酬は、ユーザが評価データ（後述）を入力した場合に付与される。例えば、ユーザは、商品を購入する際に、報酬を使用して割引価格で購入したり、景品等と交換したりすることができる。この報酬を使用したサービスは、サーバ２の管理者や、広告主が任意に設定することができる。以下の説明では、住所、性別、年齢、および興味分野に登録されている情報のデータを「ユーザ情報データ」という。
【００３８】
ユーザデータテーブル７１には、ユーザＩＤ「０１Ａ」、パスワード「ＡＢＣＤ」、氏名「山田太郎」、住所「東京都渋谷区ＸＸＸ」、性別「男」、年齢「２８」、興味分野「スポーツ、家電」、印刷枚数「２」、および報酬「１０００」が対応付けられている。詳細に説明すると、山田太郎さんがユーザとして登録されており、山田太郎さんのユーザＩＤは「０１Ａ」、サーバ２に接続するためのパスワードが「ＡＢＣＤ」である。また、山田太郎さんは、性別が「男」であり、年齢「２８歳」、興味分野「スポーツ、家電」である。また、広告を印刷する枚数の上限は、一回あたり２枚である。また、評価データ（後述）を入力したことによって付与された報酬（図２５のＳ６０３参照、後述）が「１０００」であることを示している。なお、住所における「ＸＸＸ」には、実際には、詳細な住所が登録されている。
【００３９】
同様に、ユーザＩＤ，パスワード、氏名、住所、性別、年齢、興味分野、印刷枚数、および報酬の順に、「０２Ａ」、「ＥＦＧＨ」、「鈴木花子」、「東京都港区ＸＸＸ」、「女」、「３１」、「食料品、ファッション、家電」、「１５」、および「５００」が対応付けられている。「０３Ａ」、「ＩＪＫＬ」、「佐藤三郎」、「愛知県名古屋市ＸＸＸ」、「男」、「４０」、「インテリア、音楽」、「２０」、および「５００」が対応つけられ、「０４Ａ」、「ＭＬＯＰ」、「田中一郎」、「東京都渋谷区ＸＸＸ」、「男」、「２４」、「家電」、「５」、および「４００」が対応付けられている。
【００４０】
次に、図７を参照して、広告主データテーブル７２について説明する。広告主データテーブル７２は、サーバ２の広告主データテーブル記憶領域２２３（図２参照）に記憶されている。広告主データテーブル７２には、ユーザに配信する広告の広告主に関する情報が登録されている。
【００４１】
図７に示すように、広告主データテーブル７２には、広告主ＩＤ「０１Ｂ」、パスワード「ＡＢＡＢ」、および会社名「ＡＡ電気店」が対応付けられている。詳細に説明すると、「ＡＡ電気店」が広告主として登録されており、広告主のＩＤである広告主ＩＤは「０１Ｂ」、ＡＡ電気店がサーバ２に接続するためのパスワードが「ＡＢＡＢ」である。同様に、広告主ＩＤ、パスワード、および会社名の順に、「０２Ｂ」、「ＣＤＣＤ」、および「ＢＢスポーツ店」が対応付けられ、「０３Ｂ」、「ＥＦＥＦ」、および「ＣＣ家具店」が対応付けられている。
【００４２】
次に、図８を参照して、レイアウトデータテーブル７３について説明する。レイアウトデータテーブル７３は、サーバ２のレイアウトデータテーブル記憶領域２２４（図２参照）に記憶されている。レイアウトデータテーブル７３には、複数種類の広告のレイアウト（例えば、図１２の掲載位置１０１〜１０５参照）のデータが登録されている。広告主は、広告を設定する場合、後述する広告主ＰＣ３のＳ４０３の処理（図２１参照）において、レイアウトデータテーブル７３に登録されているレイアウトの中から所望のレイアウトを選択する。
【００４３】
図８に示すように、レイアウトデータテーブル７３には、第一レイアウト、第二レイアウト、および第三レイアウトが登録されている。第一〜第三レイアウトは、それぞれ異なるレイアウトをしている。第一〜第三レイアウトは、広告の外形と、商品や広告主を表示するための領域（例えば、図１２の掲載位置１０１〜１０５参照）を備えている。レイアウトの一例である第一レイアウトについては、後述する。
【００４４】
次に、図９を参照して、商品データテーブル７４について説明する。商品データテーブル７４は、サーバ２の商品データテーブル記憶領域２２５（図２参照）に記憶されている。商品データテーブル７４には、広告に掲載する商品に関するデータが登録されている。広告主は、広告を設定する場合、後述する広告主ＰＣ３のＳ４０５の処理（図２１参照）において、商品データテーブル７４に登録されている商品の中から、所望の商品を選択する。なお、広告主は、広告主ＰＣ３を操作して、インターネット６を介して、サーバ２に接続し、商品データテーブル７４に新たな商品を追加することも可能である。
【００４５】
図９に示すように、商品データテーブル７４には、商品ＩＤ「０１Ｃ」、カテゴリ「カメラ」、メーカ「ＥＥ電気」、商品名「ＳＳ−１１」、標準価格「２９８００円」、および商品画像データ「Ｉｍａｇｅ０１．ｊｐｇ」が対応付けられて登録されている。詳細に説明すると、商品名「ＳＳ−１１」は、「カメラ」であり、「ＥＥ電気」が製造している。そして、標準価格は、「２９８００円」である。また、広告に掲載するための画像のデータは、「Ｉｍａｇｅ０１．ｊｐｇ」である。そして、これらの商品ＩＤ、カテゴリ、メーカ、商品名、標準価格、および商品画像データが、商品を識別するためのＩＤである商品ＩＤ「０１Ｃ」に対応つけられ、商品データテーブル７４に登録されている。
【００４６】
同様に、商品ＩＤ、カテゴリ、メーカ、商品名、標準価格、および商品画像データの順に、「０２Ｃ」、「携帯電話」、「ＦＦ電気」「ＴＴ−２２」、「１４８００円」、および「Ｉｍａｇｅ０２．ｊｐｇ」が対応付けられている。「０３Ｃ」、「ノートＰＣ」、「ＧＧ電気」、「ＵＵ−３３」、「９００００円」、および「Ｉｍａｇｅ０３．ｊｐｇ」が対応付けられ、「０４Ｃ」、「テレビ」、「ＨＨ電気」、「ＶＶ−４４」、「６００００円」、「Ｉｍａｇｅ０４．ｊｐｇ」が対応付けられている。「０５Ｃ」、「カバン」、「ＪＪカバン」、「ＷＷ−５５」、「９８００円」、および「Ｉｍａｇｅ０５．ｊｐｇ」が対応付けられ、「０６Ｃ」、「スポーツ用品」、「ＫＫスポーツ」、「ＹＹ−６６」、「２４８００円」、および「Ｉｍａｇｅ０６．ｊｐｇ」が対応付けられている。
【００４７】
次に、図１０を参照して、広告データテーブル７５について説明する。広告データテーブル７５は、サーバ２の広告データテーブル記憶領域２２６（図２参照）に記憶されている。広告データテーブル７５には、広告主が設定した広告に関する情報が登録されている。後述する広告設定処理（図２１参照）が行われた場合に、広告主ＰＣ３のＳ４１０の処理（図２１参照）においてサーバ２に送信された種々の情報を、サーバ２のＣＰＵ２１が登録することによって、広告データテーブル７５と掲載内容データテーブル７６（図１１参照、後述）に登録されている情報が作成される。
【００４８】
図１０に示すように、広告データテーブル７５には、広告ＩＤ、広告主ＩＤ、レイアウト、配信エリア、性別、年齢、興味分野、配信開始日、および配信終了日が登録されている。以下の説明では、配信エリア、性別、年齢、興味分野に登録されている情報のデータを「対象ユーザデータ」という。対象ユーザデータは、広告が対象とするユーザのデータである。言い換えると、ターゲットとするユーザを特定するためのデータである。なお、レイアウトと、後述する掲載内容データテーブル７６（図１１参照）とに登録されている情報とによって形成される広告（例えば、図１２参照）のデータを広告データという。
【００４９】
図１０に示すように、広告データテーブル７５には、広告ＩＤ「０１Ｄ」、広告主ＩＤ「０１Ｂ」、レイアウト「第一レイアウト」、配信エリア「東京都」、性別「男、女」、年齢「２０代、３０代」、興味分野「家電」、配信開始日「２０１０／３／１」、および配信終了日「２０１０／３／２５」が対応付けられて登録されている。詳細に説明する。広告ＩＤは、広告を識別するためのＩＤであり、１つの広告に対して、一の広告ＩＤが、サーバ２のＣＰＵ２１によって割り当てられる。この広告は、広告主ＩＤ「０１Ｂ」の広告主（つまり、ＡＡ電気店、図７参照）が設定した広告である。広告は、レイアウトの欄に登録されているレイアウトと、掲載内容データテーブル７６（図１１参照）に登録されている情報とによって形成される。広告データに基づく広告の一例は、後述する。また、広告ＩＤ「０１Ｄ」の広告を設定した広告主は、この広告を、「東京都」に在住の「家電」に興味を持っている「２０代と３０代」の「男と女」に配信したいと考えている。また、広告ＩＤ「０１Ｄ」の配信開始日は「２０１０年３月１日」であり、配信終了日は「２０１０年３月１５日」である。広告の配信は、配信開始日から配信終了日まで行われる。
【００５０】
同様に、広告データテーブル７５には、広告ＩＤ、広告主ＩＤ、レイアウト、配信エリア、性別、年齢、興味分野、配信開始日、および配信終了日の順に、「０２Ｄ」、「０２Ｂ」、「第二レイアウト」、「東京都渋谷区」、「男」、「２０代」、「スポーツ」、「２０１０／３／１」、および「２０１０／３／３１」が対応付けられている。また、「０３Ｄ」、「０３Ｂ」、「第三レイアウト」、「愛知県名古屋市」、「男」、「４０代」、「インテリア」、「２０１０／３／１５」、および「２０１０／３／２６」が対応つけられ、「０４Ｄ」、「０４Ｂ」、「第三レイアウト」、「東京都渋谷区」、「男」、「２０代」、「家電」、「２０１０／３／１６」、および「２０１０／３／２６」が対応付けられている。
【００５１】
次に、図１１を参照して、掲載内容データテーブル７６について説明する。掲載内容データテーブル７６は、サーバ２の掲載内容データテーブル記憶領域２２７（図２参照）に記憶されている。掲載内容データテーブル７６には、広告に掲載される商品の情報が登録されている。なお、図１１における掲載内容データテーブル７６では、広告ＩＤ「０１Ｄ」の広告に掲載される商品の情報のみを記載しているが、実際には、その他の広告ＩＤの広告に掲載される商品の情報も登録されている。
【００５２】
図１１に示すように、掲載内容データテーブル７６には、広告ＩＤ、掲載位置、商品ＩＤ、価格、および掲載画像が登録されている。掲載内容データテーブル７６では、広告主ＩＤ、掲載位置、商品ＩＤ、価格、および掲載画像の順に、「０１Ｄ」、「掲載位置１０１」、「０１Ｃ」、「２４８００円」、掲載画像「Ｉｍａｇｅ０１ｊｐｇ」が対応付けられ、「０１Ｄ」、「掲載位置１０２」、「０２Ｃ」、価格「１４８００円」、および「Ｉｍａｇｅ０２．ｊｐｇ」が対応付けられている。また、「０１Ｄ」、「掲載位置１０３」、「０３Ｃ」、「８５０００円」、および「Ｉｍａｇｅ０３．ｊｐｇ」が対応つけられ、「０１Ｄ」、「掲載位置１０４」、「０４Ｃ」、「５４０００円」、および「Ｉｍａｇｅ０４．ｊｐｇ」が対応付けられている。なお、価格は、後述するＳ４０５の処理（図２１参照）において、広告主が標準価格（図９参照）を参照しながら設定する。
【００５３】
ここで、図１２を参照して、広告の一例について説明する。図１２に示す広告は、広告ＩＤ「０１Ｄ」の広告データに基づく広告（以下、「広告１０」という。）である。広告１０は、広告データテーブル７５、掲載内容データテーブル７６、および商品データテーブル７４に登録されている情報を用いて作成されている。なお、広告１０を作成する場合の、種々の情報の設定の仕方については、広告設定処理（図２１参照）において詳述する。
【００５４】
広告１０は、第一レイアウトを使用している（図８および図１０参照）。図１２に示すように、第一レイアウトは、掲載位置１０１〜１０５を備えている。より詳細には、掲載位置１０１は、広告１０の上下方向（紙面の上下方向）における中央より上側、且つ、広告１０の左右方向（紙面の左右方向）における中央よりやや右側から、広告１０の左部にかけて設けられている。掲載位置１０２は、掲載位置１０１の右側に設けられている。掲載位置１０３〜掲載位置１０５は、上下方向における中央より下側に、左右方向に並んで設けられている。より詳細には、左から順に、掲載位置１０３、掲載位置１０４、掲載位置１０５の順に設けられている。
【００５５】
掲載位置１０１〜１０４には、商品が掲載されている。掲載位置１０５には、広告主の会社名と、評価データを入力するためのホームページ（以下、「評価入力ページ」という。）にアクセスするためのＵＲＬとＱＲコード１１０とが掲載されている。掲載内容データテーブル７６（図１１参照）において、掲載位置１０１には、商品ＩＤ「０１Ｃ」、価格「２４８００」、および掲載画像「Ｉｍａｇｅ０１・ｊｐｇ」が対応付けられている。商品ＩＤ「０１Ｃ」は、商品データテーブル７４（図９参照）において、カテゴリ「カメラ」、メーカ「ＥＥ電気」、商品名「ＳＳ−１１」、および商品画像データ「Ｉｍａｇｅ０１．ｊｐｇ」に対応付けられている。このため、図１２に示すように、広告１０の掲載位置１０１には、「Ｉｍａｇｅ０１・ｊｐｇ」に基づく画像１０６と、商品名「ＳＳ−１１」と、カテゴリ「カメラ」と、メーカ「ＥＥ電気」と、価格「２４８００円」が掲載されている。なお、商品データテーブル７４において、商品ＩＤ「０１Ｃ」は、標準価格「２９８００円」に対応付けられているが、広告１０では、標準価格は記載していない。しかし、これに限定されず、標準価格を記載してもよい。
【００５６】
同様に、掲載位置１０２〜１０４にも、広告データテーブル７５、掲載内容データテーブル７６、および商品データテーブル７４に登録されている商品の情報が掲載されている。また、掲載位置１０５には、広告データテーブル７５において広告ＩＤ「０１Ｄ」に対応付けられた広告主ＩＤ「０１Ｂ」の広告主「ＡＡ電気店」（図７参照）の名称が掲載されている。また、掲載位置１０５には、評価入力ページにアクセスするためのＵＲＬ「ｈｔｔｐ：／／ＸＸＸX」とＱＲコード１１０とが掲載されている。なお、ＵＲＬにおける「ＸＸＸＸ」には、実際には詳細なＵＲＬが記載されている。ＱＲコード１１０には、評価入力ページにアクセスするためのＵＲＬの情報が含まれている。
【００５７】
次に、図１３を参照して、広告主評価データテーブル７７について説明する。広告主評価データテーブル７７は、サーバ２の広告主評価データテーブル記憶領域２２８（図２参照）に記憶されている。広告主評価データテーブル７７には、各ユーザが入力した広告主に対する評価の情報のデータが登録されている。
【００５８】
図１３に示すように、広告主評価データテーブル７７には、ユーザＩＤ、広告主ＩＤ、評価点、コメント、および入力日が対応付けられて登録されている。以下の説明では、広告主データテーブル７２における評価点とコメントと、商品評価データテーブル７８（図１４参照）における評価点とコメントとを総称する場合、または、いずれかを特定しない場合、単に「評価データ」という。
【００５９】
評価点の欄には、広告主に対する評価が点数で入力されている。評価点は、０〜３点で採点され、点数の大きいほど、評価が高い。また、コメントの欄には、ユーザが広告を見て買い物をした際の感想等が登録されている。入力日の欄には、ユーザが評価データを入力した日が登録されている。
【００６０】
広告主評価データテーブル７７において、ユーザＩＤ「０３Ａ」、広告主ＩＤ「０１Ｂ」、評価点「３点」、コメント「店内の雰囲気が良い」、入力日「２０１０／３／２」が対応付けられている。これは、ユーザＩＤ「０３Ａ」のユーザ（つまり、佐藤三郎さん。図６参照）が、広告主ＩＤ「０１Ｂ」の広告主（つまり、ＡＡ電気店。図７参照）の広告に対して、評価点とコメントとを、「２０１０年３月２日」に入力したことを表している。
【００６１】
同様に、ユーザＩＤ、広告主ＩＤ、評価点、コメント、および入力日の順に、「０２Ａ」、「０１Ｂ」、「２点」、「品揃えが少ない」、および「２０１０／３／５」が対応付けられ、「０４Ａ」、「０４Ｂ」、「２点」、「店員の対応が良い」、および「２０１０／３／１５」が対応付けられている。「０３Ａ」、「０２Ｂ」、「３点」、「品揃えが多い」、「２０１０／３／２０」が対応付けられ、「０４Ａ」、「０２Ｂ」、「１点」、「店員の対応が悪い」、および「２０１０／３／２１」が対応付けられている。「０３Ａ」、「０４Ｂ」、「１点」、「値段が高い」、および「２０１０／３／２２」が対応つけられ、「０２Ａ」、「０３Ｂ」、「２点」、「値段が安い」、および「２０１０／３／２３」が対応付けられている。
【００６２】
次に、図１４を参照して、商品評価データテーブル７８について説明する。商品評価データテーブル７８は、サーバ２の商品評価データテーブル記憶領域２２９（図２参照）に記憶されている。商品評価データテーブル７８には、各ユーザが入力した商品に対する評価のデータが登録されている。
【００６３】
図１４に示すように、商品評価データテーブル７８には、ユーザＩＤ、商品ＩＤ、評価点、コメント、および入力日が登録されている。評価点の欄には、商品に対する評価が点数で入力されている。評価点は、０〜３点で採点され、点数の大きいほど、評価が高い。また、コメントの欄には、ユーザが購入した商品についての感想等が登録されている。入力日の欄には、ユーザが評価データを入力した日が登録されている。
【００６４】
商品評価データテーブル７８には、ユーザＩＤ「０３Ａ」、商品ＩＤ「０１Ｃ」、評価点「３点」、コメント「画質が良い」、および入力日「２０１０／３／２」が対応付けられて登録されている。これは、ユーザＩＤ「０３Ａ」のユーザが、商品「０１Ｃ」（つまり、商品名「ＳＳ−１１」。図９参照）の商品を購入し、評価点とコメントとを、「２０１０年３月２日」に入力したことを表している。
【００６５】
同様に、ユーザＩＤ、商品ＩＤ、評価点、コメント、および入力日の順に、「０２Ａ」、「０２Ｃ」、「３点」、「使い易い」、および「２０１０／３／５」が対応付けられ、「０４Ａ」、「０３Ｃ」、「２点」、「デザインが良い」、および「２０１０／３／１５」が対応付けられている。「０３Ａ」、「０４Ｃ」、「１点」、「音質が良くない」、および「２０１０／３／２０」が対応付けられ、「０２Ａ」、「０６Ｃ」、「２点」、「値段が安い」、および「２０１０／３／２０」が対応付けられている。「０３Ａ」、「０５Ｃ」、「３点」、「デザインが良い」、および「２０１０／３／２２」が対応付けられ、「０２Ａ」、「０６Ｃ」、「３点」、「デザインがかわいい」、および「２０１０／３／２３」が対応付けられている。
【００６６】
次に、図１５に示すフローチャートを参照して、本実施形態のサーバ２が行う第一メイン処理について説明する。第一メイン処理は、ＨＤＤ２２のプログラム記憶領域２２１に記憶されているプログラムに従ってＣＰＵ２１が実行する。第一メイン処理では、評価データが存在する場合に、広告データと評価データとを組み合わせ、評価広告データを作成して、プリンタ４に送信する。評価広告データは、広告データに基づく広告と評価データに基づく評価の情報とを組み合わせた広告である評価広告（図１９参照）のデータである。
【００６７】
図１５に示す第一メイン処理では、まず、プリンタ４のＳ３０２の処理（図２０参照、後述）において送信される、評価広告データをサーバ２に送信するように要求する信号である送信要求信号と、ユーザＩＤと、パスワードとが受信されたか否かが判断される（Ｓ１０１）。送信要求信号とユーザＩＤとパスワードとが受信されていない場合には（Ｓ１０１：ＮＯ）、Ｓ１０１に戻り、処理が繰り返される。送信要求信号とユーザＩＤとパスワードとが受信された場合には（Ｓ１０１：ＹＥＳ）、ユーザデータテーブル７１（図６参照）から、受信したユーザＩＤとパスワードと同一のユーザＩＤとパスワードとに対応付けられたユーザ情報データが抽出される（Ｓ１０２）。次いで、広告データテーブル７５（図１０参照）が参照され、Ｓ１０２の処理において抽出されたユーザ情報データと対象ユーザデータとが一致する広告ＩＤが選択されることによって、広告データが選択される（Ｓ１０３）。なお、以下の説明においても、広告ＩＤを選択することによって、広告データが選択されるが、以下の説明では、単に広告ＩＤを選択するという。選択した広告ＩＤは、印刷候補データテーブル７９（図１６参照、後述）に登録され、印刷候補データテーブル記憶領域２３１（図２参照）に記憶される。
【００６８】
次いで、Ｓ１０３の処理において選択され、印刷候補データテーブル７９に登録された広告ＩＤの数が、ユーザデータテーブル７１（図６参照）の印刷枚数の欄の印刷枚数より大きいか否かが判断される（Ｓ１０４）。広告ＩＤの数が、印刷枚数より大きい場合には（Ｓ１０４：ＹＥＳ）、印刷候補データテーブル７９に登録された広告ＩＤのうち、広告主評価データテーブル７７（図１３参照）の評価点の平均点が大きい広告ＩＤから順に、ユーザデータテーブル７１の印刷枚数の欄の印刷枚数と同一の数の広告ＩＤが選択される（Ｓ１０５）。そして、選択された広告ＩＤ以外の広告ＩＤが、印刷候補データテーブル７９から消去される（Ｓ１０５）。これによって、印刷候補データテーブル７９は、Ｓ１０５の処理において選択された広告ＩＤのみが登録されている状態になる。次いで、評価合成処理が行われる（Ｓ１０６）。なお、Ｓ１０４の処理において、広告データの数が、印刷枚数より大きくないとは判断された場合にも（Ｓ１０４：ＮＯ）、評価合成処理が行われる（Ｓ１０６）。
【００６９】
例えば、山田太郎さんが所有するプリンタ４が、広告を印刷する場合について述べる。以下の説明では、この例示を「具体例」という。この場合、山田太郎さんが操作するプリンタ４のＣＰＵ４１は、後述するＳ３０２の処理（図２０参照）において、送信要求信号と、ユーザＩＤ「０１Ａ」と、パスワード「ＡＢＣＤ」とを、サーバ２に送信する。そして、サーバ２のＣＰＵ２１によって、送信要求信号とユーザＩＤ「０１Ａ」とパスワード「ＡＢＣＤ」とが受信された場合には（Ｓ１０１：ＹＥＳ）、ユーザデータテーブル７１（図６参照）から、受信したユーザＩＤとパスワードと同一のユーザＩＤ「０１Ａ」とパスワード「ＡＢＣＤ」とに対応付けられたユーザ情報データが抽出される（Ｓ１０２）。これによって、山田太郎さんのユーザ情報データである、住所「東京都渋谷区ＸＸＸ」、性別「男」、年齢「２８」、および興味分野「スポーツ、家電」が抽出される。
【００７０】
次いで、広告データテーブル７５（図１０参照）が参照され、Ｓ１０２の処理において抽出されたユーザ情報データと対象ユーザデータとが一致する広告ＩＤが選択される（Ｓ１０３）。ここで、広告ＩＤ「０１Ｄ」に対応付けられた対象ユーザデータは、配信エリア「東京都」、性別「男、女」、年齢「２０代、３０代」、興味分野「家電」である。住所「東京都渋谷区ＸＸＸ」は、対象ユーザデータの配信エリア「東京都」に含まれる。つまり、ユーザ情報データの住所と対象ユーザデータの配信エリアが一致する。
【００７１】
同様に、ユーザ情報データの性別「男」、年齢「２８」は、対象ユーザデータの性別「男、女」、年齢「２０代、３０代」に含まれる。また、ユーザ情報データの興味分野「スポーツ・家電」のうち、「家電」が、対象ユーザデータの興味分野「家電」と一致する。つまり、山田太郎さんのユーザ情報データと、広告ＩＤ「０１Ｄ」の対象ユーザデータとが一致する。よって、広告ＩＤ「０１Ｄ」が選択される（Ｓ１０３）。同様にして、広告ＩＤ「０２Ｄ」、「０４Ｄ」が選択される（Ｓ１０３）。そして、選択された広告ＩＤ「０１Ｄ」、「０２Ｄ」、「０４Ｄ」は、図１６に示すように、印刷候補データテーブル７９に登録され、印刷候補データテーブル記憶領域２３１に記憶される。
【００７２】
なお、広告ＩＤ「０３Ｄ」の対象ユーザデータである配信エリア「愛知県名古屋市ＸＸＸ」、年齢「４０代」、興味分野「インテリア、音楽」は、山田太郎さんのユーザ情報データである「東京都渋谷区ＸＸＸ」、年齢「２８」、興味分野「スポーツ、家電」と一致しない。このため、広告ＩＤ「０３Ｄ」は、選択されない。
【００７３】
次いで、Ｓ１０３の処理において選択された広告ＩＤ「０１Ｄ」、「０２Ｄ」、「０４Ｄ」の数である「３」が、山田太郎さんのユーザＩＤ「０１Ａ」に対応付けられたユーザデータテーブル７１（図６参照）の印刷枚数の欄の印刷枚数「２」より大きいと判断される（Ｓ１０４：ＹＥＳ）。次いで、Ｓ１０３で選択され、印刷候補データテーブル７９に登録された広告ＩＤ「０１Ｄ」、「０２Ｄ」、「０４Ｄ」のうち、広告主評価データテーブル７７（図１３参照）の評価点の平均点が大きい広告ＩＤから順に、ユーザデータテーブル７１の印刷枚数の欄の印刷枚数「２」と同一の数の広告ＩＤが選択される（Ｓ１０５）。
【００７４】
広告データテーブル７５（図１０参照）において、広告ＩＤ「０１Ｄ」、「０２Ｄ」、および「０４Ｄ」に対応つけられている広告主ＩＤは、それぞれ「０１Ｂ」、「０２Ｂ」、および「０４Ｂ」である。ＣＰＵ２１は、広告主評価データテーブル７７（図１３参照）を参照し、広告主ＩＤ「０１Ｂ」、「０２Ｂ」、および「０４Ｂ」に対応付けられた評価点の値の平均値を、それぞれ計算する（Ｓ１０５）。
【００７５】
広告主評価データテーブル７７（図１３参照）において、広告主ＩＤ「０１Ｂ」に対応付けられている評価点は、３点と２点とである。このため、平均点は、２．５点と算出される。同様に、広告主ＩＤ「０２Ｂ」の評価点は３点と１点であるので、平均点は２点と算出される。広告主ＩＤ「０４Ｂ」の評価点は２点と１点であるので、平均点は１．５点と算出される。つまり、平均点が大きい広告主ＩＤは、「０１Ｂ」、「０２Ｂ」、「０４Ｂ」の順である。そして、Ｓ１０５の処理において、ユーザデータテーブル７１の印刷枚数の欄の印刷枚数「２」と同一の数の広告ＩＤが選択される。これによって、平均点の大きい２つの広告主ＩＤ「０１Ｂ」、「０２Ｂ」に対応付けられた広告ＩＤ「０１Ｄ」、「０２Ｄ」（図１０参照）が選択される。そして、選択された広告ＩＤ「０１Ｄ」、「０２Ｄ」以外の広告ＩＤである「０４Ｄ」が印刷候補データテーブル７９から消去される。これによって、図１７に示すように、印刷候補データテーブル７９は、Ｓ１０５の処理において選択された広告ＩＤ「０１Ｄ」、「０２Ｄ」のみが登録されている状態になる。次いで、評価合成処理が行われる（Ｓ１０６）。
【００７６】
図１８を参照して、評価合成処理について説明する。評価合成処理は、評価データが存在する場合に、広告データと評価データとを組み合わせ、評価広告データを作成する処理である。図１８に示すように、評価合成処理では、まず、印刷候補データテーブル７９（図１７参照）の広告ＩＤのうちの一が選択される（Ｓ２０１）。なお、Ｓ２０１の処理は、後述するＳ２０４の処理において、印刷候補データテーブル７９に登録された全ての広告ＩＤが、Ｓ２０１の処理において選択されたと判断されるまで、繰り返し実行されるが、ＣＰＵ２１は、一度選択した広告ＩＤ以外の広告ＩＤを選択する。
【００７７】
次いで、広告データテーブル７５（図１０参照）と掲載内容データテーブル７６（図１１参照）と広告主評価データテーブル７７（図１３参照）と商品評価データテーブル７８（図１４参照）とが参照され、Ｓ２０１の処理で選択された広告ＩＤに対応付けられた評価データがあるか否かが判断される（Ｓ２０２）。評価データがない場合には（Ｓ２０２：ＮＯ）、後述するＳ２０４の処理が行われる。評価データがある場合には（Ｓ２０２：ＹＥＳ）、ＣＰＵ２１は、Ｓ２０１の処理で選択した広告ＩＤの広告データと、評価データとを組み合わせ、評価広告データを作成する（Ｓ２０３）。Ｓ２０３の処理において作成される評価広告データに基づく評価広告については、具体例を示しながら後述する。
【００７８】
次いで、印刷候補データテーブル７９に登録された全ての広告ＩＤが、Ｓ２０１の処理において選択されたか否かが判断される（Ｓ２０４）。選択されていない広告ＩＤがある場合には（Ｓ２０４：ＮＯ）、Ｓ２０１に戻り、処理が繰り返される。全ての広告ＩＤがＳ２０１の処理において選択された場合には（Ｓ２０４：ＹＥＳ）、評価合成処理が終了され、図１５に示すように、印刷候補データテーブル７９に登録されている広告ＩＤの広告データと評価広告データとがプリンタ４に送信される（Ｓ１０７）。Ｓ１０７の処理では、Ｓ２０３の処理（図１８参照）において評価広告データが作成された場合には、作成された評価広告データがプリンタ４に送信される。また、Ｓ２０３の処理が実行されなかった場合（Ｓ２０２：ＮＯ）には、広告データが送信される。Ｓ１０７の処理において送信された、評価広告データと広告データとは、後述するプリンタ４のＳ３０３の処理（図２０参照）において受信され、Ｓ３０４の処理（図２０参照）において印刷される。Ｓ１０７の処理を実行したら、ＣＰＵ２１は、第一メイン処理を終了する。
【００７９】
具体例の場合、評価合成処理では、印刷候補データテーブル７９（図１７参照）の広告ＩＤ「０１Ｄ」、「０２Ｄ」のうちの一が選択される（Ｓ２０１）。ここで、広告ＩＤ「０１Ｄ」が選択されたとする。次いで、広告データテーブル７５（図１０参照）と掲載内容データテーブル７６（図１１参照）と広告主評価データテーブル７７（図１３参照）と商品評価データテーブル７８（図１４参照）とが参照され、Ｓ２０１の処理で選択された広告ＩＤ「０１Ｄ」に対応付けられた評価データがあるか否かが判断される（Ｓ２０２）。広告データテーブル７５において、広告ＩＤ「０１Ｄ」には、広告主ＩＤ「０１Ｂ」が対応付けられ、掲載内容データテーブル７６において、広告ＩＤ「０１Ｄ」には、商品ＩＤ「０１Ｃ」、「０２Ｃ」、「０３Ｃ」、「０４Ｃ」が対応付けられている。そして、広告主評価データテーブル７７において、広告主ＩＤ「０１Ｂ」に対応付けられた評価点とコメントとが存在し、商品評価データテーブル７８において、商品ＩＤ「０１Ｃ」、「０２Ｃ」、「０３Ｃ」、「０４Ｃ」に対応付けられた評価点とコメントとが存在する。このため、広告ＩＤ「０１Ｄ」に対応付けられた評価データがあると判断される（Ｓ２０２：ＹＥＳ）。次いで、ＣＰＵ２１は、Ｓ２０１の処理で選択した広告ＩＤ「０１Ｄ」の広告データと、評価データとを組み合わせ、評価広告データを作成する（Ｓ２０３）。
【００８０】
Ｓ２０３の処理における評価広告データの作成について説明する。図１２に示すように、広告ＩＤ「０１Ｄ」の広告データに基づく広告１０には、評価データが組み合わされていない。掲載内容データテーブル７６（図１１参照）において、掲載位置１０１に掲載されている商品の商品ＩＤは、「０１Ｃ」である。そして、商品評価データテーブル７８（図１４参照）において、商品ＩＤ「０１Ｃ」に対応付けられている評価データが存在する。同様に、掲載位置１０２、１０３、１０４の商品ＩＤ「０２Ｃ」、「０３Ｃ」、「０４Ｃ」（図１１参照）についても、商品評価データテーブル７８（図１４参照）に評価点とコメントとが、登録されている。
【００８１】
また、広告データテーブル７５（図１０参照）において、広告ＩＤ「０１Ｄ」の広告主ＩＤは「０１Ｂ」である。広告主評価データテーブル７７（図１３参照）において、広告主ＩＤ「０１Ｂ」に対応付けられている評価データが存在する。
【００８２】
このため、ＣＰＵ２１は、広告１０（図１２参照）に、商品評価データテーブル７８と広告主評価データテーブル７７とに登録されている評価点とコメントとを、広告に組み合わせて、評価広告データを作成する（Ｓ２０３）。Ｓ２０３の処理において作成された評価広告データに基づく評価広告（以下、評価広告１０７という。）を図１９に示す。図１９に示すように、評価広告１０７には、図１２の広告１０に、評価データが組み合わされている。評価広告１０７において、評価点は、星のマークの数で表している。詳細には、掲載位置１０１には、商品評価データテーブル７８（図１４参照）に登録されている評価データである評価点「３点」、コメント「画質が良い」が掲載されている。評価点が「３点」なので、星のマークが３つ掲載されている。同様に、掲載位置１０２には、評価点「３点」、コメント「使い易い」が掲載され、掲載位置１０３には、評価点「２点」、コメント「デザインが良い」が掲載され、掲載位置１０４には、評価点「１点」、コメント「音質が良くない」が掲載されている。
【００８３】
また、掲載位置１０５には、広告主評価データテーブル７７（図１３参照）の広告主ＩＤ「０１Ｂ」に対応付けられている評価データである評価点「３点」、コメント「店内の雰囲気が良い」が掲載されている。同様に、評価点「２点」、コメント「品揃えが少ない」が掲載されている。なお、評価点「３点」と「２点」とを掲載しているが、これに限定されず、平均点である「２．５点」を掲載してもよい。
【００８４】
図１８に示すＳ２０３の処理において、広告ＩＤ「０１Ｄ」の評価広告１０７の評価広告データを作成したら、続いて、印刷候補データテーブル７９（図１７参照）において、広告ＩＤ「０２Ｄ」が選択されていないので、選択されていない広告ＩＤがあると判断される（Ｓ２０４：ＮＯ）。次いで、ＣＰＵ２１は、Ｓ２０１の処理に戻り、広告ＩＤ「０２Ｄ」を選択し、処理を繰り返す。これによって、広告ＩＤ「０１Ｄ」の場合と同様に、広告ＩＤ「０２Ｄ」についても評価広告データが作成される（Ｓ２０３）。そして、全ての広告ＩＤがＳ２０１の処理において選択されたと判断され（Ｓ２０４：ＹＥＳ）、評価合成処理が終了され、図１５に示すように、広告ＩＤ「０１Ｄ」と「０２Ｄ」の評価広告データがプリンタ４に送信される（Ｓ１０７）。Ｓ１０７の処理において送信された、評価広告データは、後述するプリンタ４のＳ３０３の処理（図２０参照）において受信され、Ｓ３０４の処理（図２０参照）において印刷される。これによって、広告ＩＤ「０１Ｄ」の評価広告１０７（図１９参照）と、広告ＩＤ「０２Ｄ」の評価広告とが印刷される。
【００８５】
次に、図２０に示すフローチャートを参照して、本実施形態のプリンタ４が行う第二メイン処理について説明する。第二メイン処理は、ＲＯＭ４２のプログラム記憶領域４２１に記憶されているプログラムに従ってＣＰＵ４１が実行する。
【００８６】
図２０に示す第二メイン処理では、まず、印刷実行時間になったか否かが判断される（Ｓ３０１）。印刷実行時間は、広告をプリンタ４に印刷させる時間であり、ユーザが事前にプリンタ４に設定している。また、ユーザは、ユーザＩＤとパスワードと事前にプリンタ４に設定している。印刷実行時間とユーザＩＤとパスワードとは、プリンタ４のフラッシュメモリ４４（図４参照）に記憶されている。印刷実行時間になっていない場合には（Ｓ３０１：ＮＯ）、Ｓ３０１に戻り、処理が繰り返される。
【００８７】
印刷実行時間になった場合には（Ｓ３０１：ＹＥＳ）、評価広告データを送信するように要求する信号である送信要求信号と、ユーザＩＤと、パスワードとが、サーバ２に送信される（Ｓ３０２）。Ｓ３０２の処理において送信された送信要求信号とユーザＩＤとパスワードとは、サーバ２のＳ１０１の処理（図１５参照）によって受信される。次いで、サーバ２のＳ１０７の処理（図１５参照）において送信される、広告データと評価広告データとが受信されたか否かが判断される（Ｓ３０３）。受信されていない場合には（Ｓ３０３：ＮＯ）、Ｓ３０３に戻り処理が繰り返される。受信された場合には（Ｓ３０３：ＹＥＳ）、受信された広告データに基づく広告と、評価広告データに基づく評価広告が印刷される（Ｓ３０４）。これによって、ユーザは、広告主に対する評価の情報と商品に対する評価の情報とが掲載された広告の配信を受けることができる。なお、ＣＰＵ４１は、印刷部４７を使用して印刷を行う。
【００８８】
具体例の場合において、プリンタ４のフラッシュメモリ４４には、印刷実行時間「午前７時」、ユーザＩＤ「０１Ａ」、パスワード「ＡＢＣＤ」が記憶されているとする。この場合、午前７時になると、プリンタ４のＣＰＵ４１は、印刷実行時間になったと判断する（Ｓ３０１：ＹＥＳ）。次いで、送信要求信号とユーザＩＤ「０１Ａ」とパスワード「ＡＢＣＤ」とが、サーバ２に送信され（Ｓ３０２）、サーバ２のＳ１０１の処理（図１５参照）によって受信される。前述したように、送信要求信号とユーザＩＤ「０１Ａ」とパスワード「ＡＢＣＤ」とを受信したサーバ２のＣＰＵ２１は、広告ＩＤ「０１Ｄ」と「０２Ｄ」との評価広告データを作成し（図１８のＳ２０３参照）、プリンタ４に送信する（図１５のＳ１０７参照）。送信された評価広告データは、プリンタ４のＣＰＵ４１によって受信される（Ｓ３０３：ＹＥＳ）。次いで、受信した広告ＩＤ「０１Ｄ」と「０２Ｄ」との評価広告データに基づく評価広告を印刷する（Ｓ３０４）。これによって、広告ＩＤ「０１Ｄ」の評価広告１０７（図１９参照）と、広告ＩＤ「０２Ｄ」の評価広告とが印刷される。
【００８９】
以上の第一メイン処理、第二メイン処理によって、評価データに基づく評価の情報が掲載された評価広告が印刷される。従来の場合における広告に掲載されている情報は、広告主からの一方的な情報であった。このため、商品のメリット面を強調した、商品を売るための情報に偏る傾向があった。このことは、ユーザも理解しており、広告の情報をそのまま信用できないと考えるユーザも多かった。広告がユーザに信用されないことは、商品の売り上げを伸ばす上も望ましくなかった。また、広告主は、広告をユーザに届けても、広告主からの一方的な情報の提供であるため、店舗や商品についてのユーザの意見を収集できなかった。
【００９０】
本実施形態の場合、評価広告に掲載されている評価の情報は、ユーザが入力している。このため、評価広告には、広告主からの一方的な情報だけでなく、他のユーザが客観的に評価した情報が掲載される。つまり、ユーザにとって、より信用できる情報を掲載した広告をユーザに配信することができる。広告に信用できる情報が掲載されていれば、ユーザは、商品を買いやすくなる。このため、広告主は、商品の売り上げを伸ばすことが可能となる。
【００９１】
また、評価データが入力されることによって、広告主はユーザからの客観的な意見を知ることができる。このため、ユーザの意見を参考にして、店舗の改善をしたり、広告に掲載する商品を選択したりすることができる。
【００９２】
また、サーバ２において、送信要求信号が受信されると（図１５のＳ１０１参照）、評価広告データが作成されて、プリンタ４に送信される（Ｓ１０７）。つまり、最新の評価データを使用して、評価広告データが作成される。このため、ユーザは、最新の評価の情報が掲載された広告を受け取ることができる。
【００９３】
また、ユーザが設定した印刷実行時間になった場合に、送信要求信号が送信され（図２０のＳ３０１およびＳ３０２参照）、広告が印刷される（図２０のＳ３０４）。このため、ユーザが所望する時間に評価広告が配信される。よって、ユーザの利便性が向上する。
【００９４】
また、ユーザ情報データと対象ユーザデータとが一致する広告データが選択される（図１５のＳ１０３参照）。このため、広告が対象とするユーザに対して広告が配信される。このため、ユーザは、ユーザに適した広告の配信を受けることができる。また、広告主は、対象とするユーザに対して、効率的に広告を配信できる。
【００９５】
また、ユーザが設定した印刷枚数（図６参照）以内になるように、広告データが選択される（図１５のＳ１０４〜Ｓ１０５参照）。つまり、ユーザは、印刷枚数を制限することができる。
【００９６】
また、広告主評価データテーブル７７の評価点の平均点が大きい広告データから順に選択されている（図１５のＳ１０５参照）。このため、ユーザは、評価の高い広告主の広告を優先して印刷することができる。
【００９７】
次に、図２１に示すフローチャートを参照して、広告主が、サーバ２に広告データを設定する場合において行われる広告設定処理について述べる。広告設定処理は、広告主ＰＣ３のＨＤＤ３２のプログラム記憶領域３２１に記憶されているプログラムに従ってＣＰＵ３１が実行する。
【００９８】
図２１に示すように、広告主から指示が入力されることによって、広告主ＰＣ３のＣＰＵ３１は、インターネット６を介してサーバ２に接続し、広告設定用のホームページにアクセスする（Ｓ４０１）。広告設定用のホームページは、サーバ２の管理者によって設定され、サーバ２のＨＤＤ２２に記憶されている。なお、ＣＰＵ３１は、種々のページの情報をサーバ２から取得し、ディスプレイ３６に表示するが、以下の説明では、単に「ページを表示する」という。
【００９９】
ＣＰＵ３１は、レイアウトの選択のページをディスプレイ３６に表示する（Ｓ４０２）。これによって、ディスプレイ３６には、複数のレイアウトが表示される。ここで、表示される複数のレイアウトは、レイアウトデータテーブル７３（図８参照）に登録されているレイアウトと同一である。ＣＰＵ３１は、広告主からの指示に従って、複数のレイアウトのうちの一を選択する（Ｓ４０３）。次いで、ＣＰＵ３１は、広告に掲載する商品と価格と商品の広告上の掲載位置とを設定するページを表示する（Ｓ４０４）。ここでは、商品データテーブル７４（図９参照）に登録されている商品の、商品ＩＤ、カテゴリ、メーカ、商品名、標準価格、商品画像データに基づく画像が、ディスプレイ３６に表示される。また、商品の価格を広告主が入力する領域と、掲載商品の広告上の掲載位置を広告主が選択する領域とが表示される。広告主は、広告に掲載する商品を選択することができる。また、標準価格を参照しながら、商品の価格を設定することができる。また、商品の広告上の掲載位置を決定することができる。ＣＰＵ３１は、広告主が選択等した、広告に掲載する商品と価格と広告上の掲載位置とを取得する（Ｓ４０５）。
【０１００】
次いで、ＣＰＵ３１は、広告主が対象ユーザデータを入力するためのページを表示する（Ｓ４０６）。ディスプレイ３６には、広告データテーブル７５（図１０参照）に登録される配信エリア、性別、年齢、および興味分野を入力する画面が表示される。次いで、ＣＰＵ３１は、広告主が入力する対象ユーザデータを取得する（Ｓ４０７）。次いで、ＣＰＵ３１は、広告の配信開始日と配信終了日とを設定するページを表示する（Ｓ４０８）。ＣＰＵ３１は、広告主が入力した配信開始日と配信終了日とを取得する（Ｓ４０８）。次いで、ＣＰＵ３１は、Ｓ４０３、Ｓ４０５、Ｓ４０７、およびＳ４０９の処理において選択等をした、レイアウトと商品と価格と対象ユーザデータと配信開始日と配信終了日とをサーバ２に送信する（Ｓ４１０）。送信されたレイアウトと商品と価格と対象ユーザデータと配信開始日と配信終了日とは、サーバ２のＣＰＵ２１によって受信される。そして、サーバ２のＣＰＵ２１は、受信したレイアウトと対象ユーザデータと配信開始日と配信終了日とを広告データテーブル７５（図１０参照）に登録し、商品と価格と掲載位置とを、掲載内容データテーブル７６（図１１参照）に登録する。Ｓ４１０の処理を実行すると、広告主ＰＣ３のＣＰＵ３１は、広告設定処理を終了する。
【０１０１】
具体例の場合について述べる、ここでは、図１２に示す広告１０を作成する場合について述べる。広告主ＰＣ３のＣＰＵ３１は、広告設定用のホームページにアクセスする（Ｓ４０１）。レイアウトデータテーブル７３（図８参照）に登録されている第一〜第三レイアウトが掲載された画面が表示される（Ｓ４０２）。ＣＰＵ３１は、ユーザからの指示に従って、第一レイアウトを選択したとする（Ｓ４０３）。
【０１０２】
次いで、ＣＰＵ３１は、広告に掲載する商品と価格と広告上の掲載位置とを設定するページを表示する（Ｓ４０４）。ディスプレイ３６には、商品データテーブル７４（図９参照）に記憶されている商品ＩＤ「０１Ｃ」、カテゴリ「カメラ」、メーカ「ＥＥ電気」、商品名「ＳＳ−１１」、標準価格「２９８００円」、商品画像データ「Ｉｍａｇｅ０１．ｊｐｇ」に基づく画像が表示される。商品データテーブル７４に登録されている商品ＩＤ「０２Ｃ」〜「０６Ｃ」についても、同様に表示される。また、広告主が価格を入力するための領域と、掲載商品の広告上の掲載位置を選択する領域とが表示される。
【０１０３】
ここで、広告主は、商品を広告に掲載する商品として、商品ＩＤ「０１Ｃ」〜「０４Ｃ」の商品を選択したとする。なお、このとき、広告主は、商品ＩＤ「０１Ｃ」の商品を、掲載位置１０１（図１２参照）に掲載する商品として選択したとする。同様に、商品ＩＤ「０２Ｃ」、「０３Ｃ」、および「０４Ｃ」を、それぞれ、掲載位置１０２、掲載位置１０３、および掲載位置１０４（図１２参照）に掲載する商品として選択したとする。また、広告主は、広告ＩＤ「０１Ｃ」、「０２Ｃ」、「０３Ｃ」、および「０４Ｃ」の商品の価格を、それぞれ、「２４８００円」、「１４８００円」、「８５０００円」、および「５４０００円」と設定したとする。ＣＰＵ３１は、広告主が選択等した、商品と価格と商品の広告上の掲載位置とを取得する（Ｓ４０５）。
【０１０４】
次いで、ＣＰＵ３１は、ユーザが対象ユーザデータを入力するためのページを表示する（Ｓ４０６）。ディスプレイ３６には、広告データテーブル７５（図１０参照）に登録される配信エリア、性別、年齢、および興味分野を入力する画面が表示される。広告主は、画面に対象ユーザデータを入力する。ここで、広告主は、配信エリア「東京都」、性別「男、女」、年齢「２０代、３０代」、興味分野「家電」と入力したとする。ＣＰＵ３１は、広告主が入力した対象ユーザデータを取得する（Ｓ４０７）。
【０１０５】
次いで、ＣＰＵ３１は、広告の配信開始日と配信終了日とを設定するページを表示する（Ｓ４０８）。広告主は、配信開始日「２０１０／３／１」、配信終了日「２０１０／３／２５」と入力したとする。ＣＰＵ３１は、広告主が入力した配信開始日と配信終了日とを取得する（Ｓ４０８）。
【０１０６】
次いで、ＣＰＵ３１は、Ｓ４０３、Ｓ４０５、Ｓ４０７、およびＳ４０９において選択等した、レイアウトと広告に掲載する商品と価格と対象ユーザデータと配信開始日と配信終了日とをサーバ２に送信する（Ｓ４１０）。送信されたレイアウトと商品と価格と対象ユーザデータと配信開始日と配信終了日とは、サーバ２のＣＰＵ２１に受信される。そして、サーバ２のＣＰＵ２１は、受信したレイアウトと対象ユーザデータとを広告データテーブル７５（図１０参照）に登録し、商品と価格と掲載位置を、掲載内容データテーブル７６（図１１参照）に登録する。これによって、図１０に示すように、広告データテーブル７５には、広告ＩＤ「０１Ｄ」の広告主ＩＤ「０１Ｂ」に対して、レイアウト「第一レイアウト」、配信エリア「東京都」、性別「男、女」、年齢「２０代、３０代」、興味分野「家電」、配信開始日「２０１０／３／１」、配信終了日「２０１０／３／２５」が登録される。また、図１１に示すように、掲載内容データテーブル７６には、広告ＩＤ「０１Ｄ」に対して、掲載位置「掲載位置１０１」、商品ＩＤ「０１Ｃ」、価格「２４８００円」が対応付けられて登録される。同様にして、掲載位置１０２〜１０４に対してそれぞれ、商品ＩＤ「０２Ｃ」、「０３Ｃ」、「０４Ｃ」と、価格「１４８００円」、「８５０００円」、「５４０００円」とが対応付けられて登録される。
【０１０７】
なお、掲載内容データテーブル７６においては、掲載画像も、対応付けられている。これは、図９に示す商品画像データと同一である。ただし、ユーザが新たに掲載画像を追加できるようにしてもよい。また、商品についても、ユーザが自由に新しい商品を追加できるようにしてもよい。この場合、追加された商品は、商品データテーブル７４（図９参照）において、管理することが可能である。
【０１０８】
以上のように、広告設定処理が行われる。広告主は、予め用意されたページに表示されているレイアウト等を選択することによって、広告を作成することができる。よって、商品の配置等を最初から考えながら広告を作成する場合に比べて、効率的に広告を作成することができる。また、広告主は、対象ユーザデータを入力することができるので、広告が対象とする特定のユーザに対して、効率的に広告を配信することができる。
【０１０９】
次に、図２２に示すフローチャートを参照して、ユーザが、評価データを入力する場合に行われる評価登録処理について説明する。評価登録処理は、携帯端末５のＲＯＭ５２のプログラム記憶領域５２１に記憶されているプログラムに従ってＣＰＵ５１が実行する。
【０１１０】
前述したように、広告には、評価データを入力するためのホームページである評価入力ページにアクセスするための、ＵＲＬ、ＱＲコードが記載されている。評価入力ページは、サーバ２の管理者によって設定され、ＨＤＤ２２に記憶されている。ここでは、ユーザが携帯端末５を使用して、評価データを入力する場合について述べる。
【０１１１】
図２２に示す評価登録処理では、ユーザによってＵＲＬが入力されるか、カメラ５９が使用されてＱＲコードが読み取られることによって、ＣＰＵ５１は、評価入力ページにアクセスする（Ｓ５０１）。次いで、ＣＰＵ５１は、評価入力ページのデータをサーバ２から取得し、ディスプレイ５７に表示する（Ｓ５０２）。評価入力ページには、広告主評価データテーブル７７（図１３参照）に評価データを登録するための、ユーザＩＤと広告主の会社名と広告主の評価点と広告主に対するコメントとを入力する領域が設けられている。また、商品評価データテーブル７８（図１４参照）に評価データを登録するための、商品名と商品の評価点を入力する領域と商品に対するコメントとを入力する領域が設けられている。ユーザは、これらの領域に入力を行う。なお、ユーザは、広告主評価データテーブル７７に登録するための評価データと、商品評価データテーブル７８に登録するための評価データとのうち、どちらか一方のみの評価データを入力してもよい。
【０１１２】
次いで、ＣＰＵ５１は、ユーザによって入力された評価データ等を取得する（Ｓ５０３）。次いで、ＣＰＵ５１は、Ｓ５０３の処理で取得した評価データ等をサーバ２に送信する（Ｓ５０４）。送信された評価データ等は、サーバ２のＣＰＵ２１によって受信される。サーバ２のＣＰＵ２１は、受信した評価データ等を、広告主評価データテーブル７７（図１３参照）および商品評価データテーブル７８（図１４参照）に記憶する。このとき、ＣＰＵ２１は、ユーザが評価データを入力した日を、評価データと対応つけて、広告主評価データテーブル７７と商品評価データテーブル７８との入力日の欄に登録する。Ｓ５０４の処理を実行したら、ＣＰＵ５１は、評価登録処理を終了する。
【０１１３】
具体例の場合、Ｓ５０２の処理の処理で表示された評価入力ページにおいて、ユーザＩＤ「０１Ａ」のユーザが、Ｓ３０４の処理（図２０参照）で印刷された評価広告（図１９参照）についての評価データを入力するとする。ここで、ユーザは、図１９に示す広告を見て、掲載位置１０１に掲載されている商品名「ＳＳ−１１」のカメラを、購入したとする。そして、ユーザは、この商品を購入した際の評価を、入力するとする。また、ユーザが評価データを入力する日は「２０１０／３／２４」であるとする。
【０１１４】
ユーザは、カメラ５９を使用し、ＱＲコード１１０（図１９参照）を読み取って評価入力ページにアクセスする（Ｓ５０１）。ユーザは、評価入力ページにおいて、ユーザＩＤ「０１Ａ」、広告主の会社名「ＡＡ電気店」、広告主の評価点「３点」、および広告主に対するコメント「店員の説明が分かり易い」を入力し、商品名「ＳＳ−１１」、商品の評価点「３点」、および商品に対するコメント「高性能なので良い」を入力したとする。ＣＰＵ５１は、ユーザが入力した評価データ等を取得する（Ｓ５０３）。次いで、ＣＰＵ５１は、Ｓ５０３の処理で取得した評価データ等をサーバ２に送信する（Ｓ５０４）。送信された評価データ等は、サーバ２のＣＰＵ２１によって受信され、広告主評価データテーブル７７および商品評価データテーブル７８に記憶される。このとき、広告主データテーブル７２（図７参照）から、広告主の会社名「ＡＡ電気店」に対応付けられた広告主ＩＤ「０１Ｂ」が特定される。また、商品データテーブル７４（図９参照）から、商品名「ＳＳ−１１」に対応付けられた商品ＩＤ「０１Ｃ」が特定される。そして、図２３に示すように、広告主評価データテーブル７７には、ユーザＩＤ「０１Ａ」、広告主ＩＤ「０１Ｂ」、広告主の評価点「３点」、広告主に対するコメント「店員の説明が分かり易い」、入力日「２０１０／３／２４」が登録される。また、図２４に示すように、商品評価データテーブル７８には、ユーザＩＤ「０１Ａ」、商品ＩＤ「０１Ｃ」、商品の評価点「３点」、および商品に対するコメント「高性能なので良い」、入力日「２０１０／３／２４」が登録される。
【０１１５】
以上のように、評価登録処理が行われる。広告に評価入力ページにアクセスするためのＵＲＬや、ＱＲコード１１０が記載されている。このため、ユーザは、容易に評価データを入力する方法を知ることができる。よって、ユーザが評価データを入力する頻度を増やすことができる。よって、評価データが充実し、さらに信用できる情報を掲載した広告をユーザに配信することができる。また、評価入力ページにアクセスすれば、ディスプレイ５７に表示される評価入力ページに従って、容易に評価データを入力することができる。
【０１１６】
次いで、図２５に示すフローチャートを参照して、サーバ２が行う報酬付与処理について説明する。報酬付与処理は、評価データを入力したユーザに対して、報酬を付与する処理である。報酬付与処理は、サーバ２のＨＤＤ２２のプログラム記憶領域２２１に記憶されているプログラムに従ってＣＰＵ２１が実行する。
【０１１７】
図２５に示すように、広告主評価データテーブル７７および商品評価データテーブル７８が参照され、ユーザ毎に、所定期間内に評価データを登録した回数が算出される（Ｓ６０１）。所定期間は、例えば、一ヶ月間である。次いで、Ｓ６０１で算出された数の大きいユーザＩＤから順に、所定の数のユーザＩＤが抽出される（Ｓ６０２）。所定の数は、例えば、３である。次いで、Ｓ６０２の処理で抽出されたユーザＩＤに対して、その回数の順位に応じた報酬が付与される（Ｓ６０３）。付与された報酬は、ユーザデータテーブル７１（図６参照）の報酬の欄に加算される（Ｓ６０３）。なお、順位に応じて付与する報酬は、例えば、１位が「３００」、２位が「２００」、３位が「１００」である。次いで、報酬付与処理が終了される。
【０１１８】
例えば、図６に示すように、ユーザＩＤ「０１Ａ」、「０２Ａ」、「０３Ａ」、および「０４Ａ」に対して、報酬の欄が「１０００」、「５００」、「５００」、および「４００」と対応付けられている場合について述べる。また、所定期間は一ヶ月間とする。そして、各ユーザは、一ヶ月間の間に、広告主評価データテーブル７７（図２３参照）および商品評価データテーブル７８（図２４参照）のように評価データを入力しているとする。また、Ｓ６０２の処理における所定の数は３であるとする。この場合、図２５に示すように、広告主評価データテーブル７７および商品評価データテーブル７８が参照され、ユーザ毎に、所定期間内に評価データを登録した回数が算出される（Ｓ６０１）。広告主評価データテーブル７７（図２３参照）および商品評価データテーブル７８（図２４参照）において、ユーザＩＤ「０１Ａ」のユーザは、合計２回、評価データを入力している。広告主評価データテーブル７７においては、ユーザＩＤ「０１Ａ」のユーザは、一回分の評価データを入力しており、商品評価データテーブルにおいても、一回分の評価データを入力しているからである。同様に、ユーザＩＤ「０２Ａ」、「０３Ａ」、および「０４Ａ」のユーザは、それぞれ、合計５回、６回、および３回、評価データを入力している。Ｓ６０１の処理では、このユーザ毎の合計が算出される。
【０１１９】
次いで、回数の多い順に、所定の数である３つのユーザＩＤ「０３Ａ」、「０２Ａ」、「０４Ａ」が抽出される（Ｓ６０２）。次いで、ユーザＩＤ「０３Ａ」、「０２Ａ」、「０４Ａ」に対して、その回数の順位に応じた報酬が付与される（Ｓ６０３）。付与される報酬は、１位のユーザＩＤ「０３Ａ」に対しては、「３００」、２位のユーザＩＤ「０２Ａ」に対しては、「２００」、３位のユーザＩＤ「０４Ａ」に対しては「１００」であるとする。付与された報酬は、ユーザデータテーブル７１の報酬の欄に加算される（Ｓ６０３）。これによって、図６に示すユーザデータテーブル７１のユーザＩＤ「０３Ａ」、「０２Ａ」、および「０４Ａ」に対して、それぞれ報酬「３００」、「２００」、「１００」が加算され、図２６に示すように、ユーザＩＤ「０３Ａ」、「０２Ａ」、および「０４Ａ」の報酬の欄が、それぞれ「８００」、「７００」、および「５００」となる。次いで、報酬付与処理が終了される。
【０１２０】
以上のように、報酬付与処理が実行される。ユーザが評価データを入力すれば、所定期間内に、評価データを入力した回数の多いユーザに対して、報酬が加算される。このため、ユーザは、ポイントを得るために、積極的に評価データを入力する。よって、評価データが充実し、さらに信用できる情報を掲載した広告をユーザに配信することができる。
【０１２１】
上記実施形態において、プリンタ４が本発明の「印刷装置」に相当し、広告主評価データテーブル記憶領域２２８と商品評価データテーブル記憶領域２２９とが、本発明の「第一記憶手段」に相当する。インターネット６が本発明の「ネットワーク」に相当する。図１８のＳ２０３の処理を行うＣＰＵ２１が本発明の「データ作成手段」に相当し、図１５のＳ１０７の処理を行うＣＰＵ２１が本発明の「評価広告データ送信手段」に相当する。図２０のＳ３０３の処理を行うＣＰＵ４１が本発明の「評価広告データ受信手段」に相当し、図２０のＳ３０４の処理を行うＣＰＵ４１が本発明の「印刷手段」に相当する。図２０のＳ３０２の処理において送信要求信号を送信する処理を行うＣＰＵ４１が本発明の「信号送信手段」に相当し、図１５のＳ１０５の処理を行うＣＰＵ２１が本発明の「選択手段」に相当する。図６および図２６における報酬の欄のデータが本発明の「報酬データ」に相当し、ユーザデータテーブル７１に登録されているユーザＩＤと報酬とを記憶するユーザデータテーブル記憶領域２２２が、本発明の「第二記憶手段」に相当する。図２５のＳ６０３の処理を行うＣＰＵ２１が本発明の「加算手段」に相当する。図２０のＳ３０３の処理が本発明の「評価広告データ受信ステップ」に相当し、図２０のＳ３０４の処理が本発明の「印刷ステップ」に相当する。ＣＰＵ４１が本発明の「制御部」に相当する。
【０１２２】
なお、本発明は上記の実施形態に限定されるものではなく、種々の変更が可能である。例えば、評価データを入力した回数の多い順位に応じて報酬を付与していた（図２５のＳ６０１〜Ｓ６０３参照）が、これに限定されない。例えば、順位を考慮せず、ユーザが評価データを入力したらその時点で、報酬を付与してもよい。
【０１２３】
また、評価データは、評価入力ページにアクセスすることで入力していた（図２２参照）がこれに限定されない。例えば、広告に、ユーザが手書きで評価を記載できる欄を設け、ユーザが評価を記載した広告をプリンタ４でスキャンし、サーバ２に送信してもよい。そして、サーバ２において、例えば、ＯＣＲ（光学式文字読み取り装置）等を用いて文字を読み取り、評価データを、広告主評価データテーブル７７と商品評価データテーブル７８に登録してもよい。
【０１２４】
また、ユーザが入力した評価データのうち、広告に掲載してもよい評価データを広告主やサーバ２の管理者に選択させるようにしてもよい。
【０１２５】
また、ユーザは、携帯端末５を用いることで、評価登録処理（図２２参照）によって、評価データを入力していたが、これに限定されない。例えば、パーソナルコンピュータやその他のインターネット６に接続できる機器を用いてもよい。
【０１２６】
また、評価データは、広告主に対する評価と商品に対する評価であったが、これに限定されない。例えば、広告そのものに対する好感度等を評価した情報でもよい。
【０１２７】
また、Ｓ１０５の処理（図１５参照）において、広告主評価データテーブル７７の評価点の平均点の順番で、広告を選択していたが、これに限定されない。例えば、評価点は考慮せずに広告を選択してもよい。また、平均点ではなく、合計点の順番で広告を選択してもよい。また、広告に掲載されている商品の評価点で、広告を選択してもよい。
【０１２８】
また、ユーザＩＤと広告主ＩＤは、ユーザと広告主とを特定できるデータであればよく、データの種類は限定されない。また、サーバ２がユーザＩＤと広告主ＩＤとを設定してもよいし、ユーザがユーザＩＤを設定し、広告主が広告主ＩＤを設定してもよい。
【０１２９】
また、各データテーブル７１〜７９を記憶する各記憶領域２２２〜２２９，２３１（図２参照）は、サーバ２に設けられていたが、これに限定されない。例えば、各データテーブル７１〜７９を記憶する各記憶領域２２２〜２２９，２３１（図２参照）を、サーバ２とは別の記憶装置に設けてもよい。この場合、記憶装置をインターネット６、または、他のネットワークに接続し、サーバ２のＣＰＵ２１が、インターネット６、または、他のネットワークを介して、記憶装置に設けられた各記憶領域２２２〜２２９，２３１にアクセスできるようにすることで、サーバ２のＣＰＵ２１が各処理を実行できる。
【０１３０】
また、前述したように、報酬を使用したサービスは、サーバ２の管理者や、広告主が任意に設定することができる。この報酬を使用したサービスの例について述べる。例えば、ユーザが、商品を購入する際に、報酬を使用して割引価格で商品を購入することができるようにしてもよい。この場合、評価広告１０７（図１９参照）を見て、ユーザＩＤ「０１Ａ」のユーザがＡＡ電気店で買い物をする際に、ユーザデータテーブル７１（図２６参照）に登録されている報酬「１０００」に対応した「１０００円」分の割引を受けることができる。このサービスをユーザに対して提供する場合、例えば、ユーザデータテーブル７１（図２６参照）における報酬を評価広告１０７（図１９参照）に掲載したり、掲載位置１０５に記載されたＵＲＬや、ＱＲコード１１０を使用してアクセスできるホームページに、現在の報酬を掲載したりしてもよい。この場合、ユーザは、報酬が掲載された評価広告１０７や、報酬が掲載されたホームページを、ＡＡ電気店の店員に見せることで、割引を受けることができる。
【０１３１】
また、例えば、報酬「１０００」を、景品「子供用のおもちゃ」と交換できるようにする等、報酬の量に応じて景品と交換できるようにしてもよい。この場合、評価広告１０７に、交換できる景品を掲載し、ユーザが評価広告１０７を持ってＡＡ電気店に行って、報酬と景品とを交換できるようにしてもよい。また、評価広告１０７の掲載位置１０５（図１９参照）に記載されたＵＲＬや、ＱＲコード１１０を使用してアクセスできるホームページに、交換できる景品を掲載し、ユーザがホームページ上で景品と報酬との交換を申し込めるようにしてもよい。
【符号の説明】
【０１３２】
１    印刷システム
２    サーバ
３    広告主ＰＣ
４    プリンタ
５    携帯端末
６    インターネット
１０    広告
２１，３１，４１，５１    ＣＰＵ
７１    ユーザデータテーブル
７２    広告主データテーブル
７３    レイアウトデータテーブル
７４    商品データテーブル
７５    広告データテーブル
７６    掲載内容データテーブル
７７    広告主評価データテーブル
７８    商品評価データテーブル
７９    印刷候補データテーブル
１０７    評価広告
２２２    ユーザデータテーブル記憶領域
２２８    広告主評価データテーブル記憶領域
２２９    商品評価データテーブル記憶領域
２３１    印刷候補データテーブル記憶領域
【図１】
2011233118.tif 000003
【図２】
2011233118.tif 000004
【図３】
2011233118.tif 000005
【図４】
2011233118.tif 000006
【図５】
2011233118.tif 000007
【図６】
2011233118.tif 000008
【図７】
2011233118.tif 000009
【図８】
2011233118.tif 000010
【図９】
2011233118.tif 000011
【図１０】
2011233118.tif 000012
【図１１】
2011233118.tif 000013
【図１２】
2011233118.tif 000014
【図１３】
2011233118.tif 000015
【図１４】
2011233118.tif 000016
【図１５】
2011233118.tif 000017
【図１６】
2011233118.tif 000018
【図１７】
2011233118.tif 000019
【図１８】
2011233118.tif 000020
【図１９】
2011233118.tif 000021
【図２０】
2011233118.tif 000022
【図２１】
2011233118.tif 000023
【図２２】
2011233118.tif 000024
【図２３】
2011233118.tif 000025
【図２４】
2011233118.tif 000026
【図２５】
2011233118.tif 000027
【図２６】
2011233118.tif 000028